(57)【要約】【課題】簡便で一定量の液体を確実に計量することができ、容器が比較的大型であっても、小分けまでの作業を楽に行うことができる定量式液体計量器を提供する。【解決手段】容器本体２の内側に設けた区画板３により容器本体２を第一室４と第二室５とに区画し、区画板３には第一室４と第二室５を互いに連通する連通口６を設け、第一室４と第二室５にはそれぞれの上部に液体流入口７、８を、それぞれの下部に液体吐出口９、１０を設け、各液体吐出口９、１０には開閉栓１１を設ける。【選択図】図１
0003113757.tif 000002
【実用新案登録請求の範囲】
【請求項１】
容器本体の内側に設けられた区画板により容器本体が第一室と第二室に区画され、区画板には第一室と第二室を互いに連通する連通口が設けられ、第一室と第二室のそれぞれには液体流入口および液体吐出口が設けられ、各液体吐出口のそれぞれには開閉栓が設けられてなることを特徴とする定量式液体計量器。
【請求項２】
第一室と第二室の各液体流入口の上流側には、流入する液体を第一室の液体流入口または第二室の液体流入口に切り替えできる手段が設けられていることを特徴とする請求項１記載の定量式液体計量器。  
【請求項３】
容器本体の各室は内容積が互いに同一であることを特徴とする請求項１または請求項２記載の定量式液体計量器。  
【請求項４】
容器本体は外部から内部を透視できる透明性を有することを特徴とする請求項１ないし請求項３記載の定量式液体計量器。
【請求項５】
容器本体はプラスチックからなることを特徴とする請求項１ないし請求項４記載の定量式液体計量器。
【請求項６】
容器本体の各室の底面は液体吐出口側へ向けて下向きの斜面であることを特徴とする請求項１ないし請求項５記載の定量式液体計量器。
【請求項７】
定量式液体計量器を載置する液体計量器スタンドであって、容器本体の四隅を保持する４つの支柱と、支柱間に横架される枠部と、容器本体の底面を支える斜行部材と、容器本体の前面を保持するストッパーと、支柱の下部のキャスターとを具備してなることを特徴とする液体計量器スタンド。
【考案の詳細な説明】
【技術分野】
【０００１】
本考案は、特別な計量装置を用いることなく、一定量の液体を計量して別の容器に小分けすることのできる液体計量器と液体計量器スタンドに関する。
【背景技術】
【０００２】
ポンプを使用することなく、一定量を確実に計量して排出することができる液体容器が知られている（特許文献１）。これは、容器の内側底部に隔室を設け、隔室の側面に開口を設けた構造を有しており、容器に注入口から液体を注入し、液体が入った容器を隔室の開口が上側になるように容器をほぼ９０度回転させることで、隔室内に液体を満たし、この状態で栓を開けると隔室内の一定量の液体を排出するものである。
【０００３】
【特許文献１】特開平１１−１９８９７６号公報
【考案の開示】
【考案が解決しようとする課題】
【０００４】
しかしながら、上記の液体容器は、簡便で一定量の液体を計量して排出することができる利点を備えるものの、容器をほぼ９０度回転させる作業を必要とし、そのままでは液体が満たされた容器本体が大きく重い場合には、作業負担が大きくなるとともに、危険を伴いやすいという問題点がある。さらに、計量および排出の都度、液体の注入作業を中断せざるを得ず、計量から小分けまでの一連の作業を連続的に行うには難しいという問題点もがある。
【０００５】
本考案は上記問題点に鑑みてなされたもので、簡便で一定量の液体を確実に計量することができ、容器が比較的大型であっても、小分けまでの作業を楽に行うことができる定量式液体計量器とその液体計量器スタンドを提供することを目的とする。
【０００６】
また、計量から小分けまでの一連の作業を連続的に行うことができる定量式液体計量器を提供することを目的とする。
【課題を解決するための手段】
【０００７】
上記課題を解決するために、本考案の請求項１に係る定量式液体計量器は、容器本体の内側に設けた区画板により容器本体を第一室と第二室に区画し、区画板には第一室と第二室を互いに連通する連通口を設け、第一室と第二室にはそれぞれの上部に液体流入口を、それぞれの下部に液体吐出口を設け、各液体吐出口のそれぞれには開閉栓を設けてなることを特徴とする。
【０００８】
第一室にその上部の液体流入口から液体を流入させると、第一室内に液体が貯えられる。液体の水位が連通口のレベルに達すると、それ以上の液体は第一室から連通口を通して第二室に流入し、第二室に貯えられる。第一室の水位が連通口のレベルに達した時点で第一室内に貯えられる液体は一定量に達するから、液体流入を第二室へ切り替える等して第一室への液体流入を止めるとともに、第一室の下部の液体吐出口の開閉栓を開けて、一定量の液体を別容器に小分けすることができる。
【０００９】
第一室からの小分け作業と同時並行して、第二室にその上部の液体流入口から液体を流入させると、第二室内に液体が貯えられる。液体の水位が連通口のレベルに達すると、それ以上の液体は第二室から連通口を通して第一室に流入し、第一室に貯えられる。第二室の水位が連通口のレベルに達した時点で第二室内に貯えられる液体は一定量に達するから、液体流入を第一室へ切り替える等して第二室への液体流入を止めるとともに、第二室の下部の液体吐出口の開閉栓を開けて、一定量の液体を別容器に小分けすることができる。
【００１０】
この計量容器を使用することにより、簡便で一定量の液体を確実に計量することができ、容器が比較的大型であっても、小分けまでの作業を安全かつ楽に行うことができる。
【００１１】
計量される液体としては、水、ビール、ジュース、牛乳などの飲料水のほか、醤油、油なども含まれる。
【００１２】
本考案の請求項２に係る定量式液体計量器は、各室の各液体流入口の上流側には、流入する液体を各室の液体流入口のいずれか一つに切り替えできる手段を設けたことを特徴とする。
【００１３】
各室のいずれか一方が一定量に達したら、液体流入を他方の室に切り替えることで、液体流入作業を連続して行うことができ、その結果、液体流入から計量、小分けに至るまでの一連の作業を連続的に行うことができる
【００１４】
本考案の請求項３に係る定量式液体計量器は、容器本体の各室の内容積を互いに同一としたことを特徴とする。  
【００１５】
各室の計量値を同一値（たとえば、第一室と第二室をともに１８リットルとする）とすることにより、同一容積の別容器への小分け作業を２倍または３倍以上に効率化することができる。
【００１６】
本考案の請求項５に係る定量式液体計量器は、容器本体が外部から内部を透視できる透明性を有することを特徴とする。ここでいう透明性には半透明も含まれる。
【００１７】
外部から第一室および第二室の水位および連通口を通しての流入状態を良く確認することができるので、液体流入の切り替え作業や小分け作業などの一連の作業を確実に行うことができる。
【００１８】
本考案の請求項５に係る定量式液体計量器は、容器本体がプラスチックからなることを特徴とする。
【００１９】
金属に比べて耐酸性、耐食性等に優れたプラスチックを使用することにより、液体が醤油などの場合であっても、計量容器として好適に使用することができる。
【００２０】
本考案の請求項６に係る定量式液体計量器は、容器本体の各室の底面が下部の液体吐出口側へ向けて下向きの斜面であることを特徴とする。
【００２１】
各室の液体を下部の液体吐出口から確実に吐出させることができる。
【００２２】
本考案の請求項７に係る液体計量器スタンドは、容器本体の四隅を保持する４つの支柱と、支柱間に横架される枠部と、容器本体の底面を支える斜行部材と、容器本体の前面を保持するストッパーと、支柱の下部のキャスターとを具備してなることを特徴とする。
【００２３】
請求項６に係る液体計量器が比較的大型であっても、安定して保持することができ、流入作業から計量、小分け作業に至る一連の各作業を安全かつ確実に行うことができる。
【考案の効果】
【００２４】
以上説明したように、本考案の定量式液体計量器によると、簡便で一定量の液体を確実に計量することができ、容器が比較的大型であっても、小分けまでの作業を楽に行うことができる効果を奏する。
【００２５】
また、本考案の定量式液体計量器によると、計量から小分けまでの一連の作業を連続的に行うことができる効果を奏する。
【考案を実施するための最良の形態】
【００２６】
本考案を実施するための最良の形態につき、図１ないし図４を参照して説明する。
本考案の定量式液体計量器１は、図１に示すように、容器本体２の内側に設けた区画板３により容器本体２を第一室４と第二室５に区画してなる。
【００２７】
容器本体２は、全体として、前面板２ａと背面板２ｂ、両側面板２ｃ，２ｃと底面板２ｄとからなる有底の四角形状の容器であって、容器本体の内部空間が前記区画板３により前方から見て左側に第一室４、右側に第二室５が形成されている。この容器本体２の底面は前面に向けて下りとなる斜面を形成している。第一室４および第二室５はいずれも、一定量の液体を計量する室となる。各室４、５の内容積は互いに同一とされている。
【００２８】
区画板３には第一室４と第二室５を互いに連通する連通口６が底面前端からの高さＨの位置に設けられている。この連通口６は、液面と水平に延びており、第一室４に貯えられる液体が一定量（たとえば１８リットル）に達すると、それ以上の液体は連通口６を通して第一室４から第二室５へ流入するようになっている。この連通口６の高さＨを変更することにより、第一室４および第二室における液体の計量値を変更することができる。
【００２９】
容器本体２の上面は第一室４および第二室５とも上方に開口しており、各開口部が液体流入口７、８を形成している。また、容器本体２の前面板２ａの下端には第一室４の液体吐出口９と第二室５の液体吐出口１０とが設けられ、各液体吐出口９、１０には、開閉栓１１が設けられている。
【００３０】
以上の液体計量器１は、図１に示す液体計量器スタンド１２の上に載置される。この液体計量器スタンド１２は、容器本体２の四隅を保持する４つの支柱１３と、支柱１３，１３間に横架される枠部１４と、容器本体２の底面板２ｄを支える斜行部材１５と、容器本体２の前面板２ａを保持するストッパー１６と、各支柱１３の下部のキャスター１７とから構成されている。
【００３１】
容器本体２の上方には、図４に示すように、各室４、５の液体流入口７、８にそれぞれ液体を導入するための開閉弁１８付きの吐出管１９が位置している。この吐出管１９は垂直軸回りの首振り機構２０を備えており、吐出管１９からの液体を各室４、５の液体流入口７、８のいずれか一つに切り替えできるようになっている。吐出管１９の後方には図示しない液体タンクが配置されており、液体計量器スタンド１２をキャスター１７で移動させて液体計量器１を吐出管１９の下に位置させることができるようになっている。
【００３２】
以上の容器本体２は透明性を有するプラスチック製からなる。
【００３３】
次ぎに、以上のように構成された定量式液体計量器１の使用方法を説明する。
【００３４】
図４に示すように、吐出管１９の開閉弁１８を開操作して、容器本体２の第一室４に液体流入口７から液体を流入させ、液体Ｗが一定量（たとえば１８リットル）に達すると、連通口６を通してそれ以上の液体が第一室４から第二室５へと流入する。吐出管１９の先端を第二室５の液体流入口８へと切り替えて、第二室５に液体を流入させる。その間、第一室４の液体吐出口９の開閉栓１１を開いてその先端に取付けられた可撓性を有するホース２１を介して別容器に液体（１８リットル）を小分けする。ホース２１には係止用フック２１ａが取付けられ、ホース２１を別容器に係止して外れないようになっている。
【００３５】
第一室４からの小分け作業中、第二室５には液体流入口８から液体が流入する。第一室４の小分け作業が終わったら、第一室４側の開閉栓１１を閉じる。第二室５の液体が一定量（たとえば１８リットル）に達すると、連通口６を通してそれ以上の液体が第二室５から第一室４へと流入する。吐出管１９の先端を第二室５の液体流入口８から第一室４の液体流入口７へ切り替えて、第一室４に液体を流入させる。その間、第二室５の液体吐出口１０の開閉栓１１を開いて別容器に液体（１８リットル）を小分けする。小分け作業が終わったら第二室５側の開閉栓１１を閉じる。
【００３６】
以上の作業を繰り返すことにより、必要量の小分け作業を連続して行うことができる。上記の実施形態では、第一室４と第二室の一定量をともに同一量（たとえば１８リットル）としたが、異なる量（たとえば一方を１８リットル、他方を２０リットル）とするために、第一室４と第二室５のいずれかの容積を変更するようにしてもよい。
【００３７】
また、上記実施形態の容器本体２は、元々別体の有底四角筒状の容器どうしを併設して、それぞれを第一室４と第二室５にしてよい。
【００３８】
また、上記実施形態の容器本体２は、第一室４と第二室５を設けるようにしたが、第二室の隣りに第三室を併設してもよい。この場合、第二室５と第三室との間の区画板に第二室５と第三室を互いに連通する連通口を設ければよい。第三室には液体流入口となる上方開口部を設け、前面には液体吐出口を設ける。第一室４と第二室５を同一の定量（たとえば１８リットル）とし、第三室を別の定量（たとえば２０リットル）とすることが考えられる。
【産業上の利用可能性】
【００３９】
本考案の定量式液体計量器は、飲料水やお酒などの小売店舗、醤油などの卸し店などのほか、一般家庭においても有効利用することができる。
【図面の簡単な説明】
【００４０】
【図１】本考案の定量式液体計量器を示す斜視図、
【図２】同定量式液体計量器を示す正面図、
【図３】同定量式液体計量器を示す側面図、
【図４】同定量式液体計量器の使用状態を示す斜視図である。
【符号の説明】
【００４１】
１  定量式液体計量器
２  容器本体
２ａ  前面板
２ｂ  背面板
２ｃ  側面板
２ｄ  底面板
３  区画板
４  第一室
５  第二室
６  連通口
７，８  液体流入口
９，１０  液体吐出口
１１  開閉栓
１２  液体計量器スタンド
１３  支柱
１４  枠部
１５  斜行部材
１６  ストッパー
１７  キャスター
１８  開閉栓
１９  吐出管
２０  首振り機構
２１  ホース
２１ａ  フック
【図１】
0003113757.tif 000003
【図２】
0003113757.tif 000004
【図３】
0003113757.tif 000005
【図４】
0003113757.tif 000006
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
容器本体の内側に設けられた区画板により容器本体が第一室と第二室に区画され、区画板には第一室と第二室を互いに連通する連通口が設けられ、第一室と第二室のそれぞれには液体流入口および液体吐出口が設けられ、各液体吐出口のそれぞれには開閉栓が設けられてなることを特徴とする定量式液体計量器。
【請求項２】
第一室と第二室の各液体流入口の上流側には、流入する液体を第一室の液体流入口または第二室の液体流入口に切り替えできる手段が設けられていることを特徴とする請求項１記載の定量式液体計量器。
【請求項３】
容器本体の各室は内容積が互いに同一であることを特徴とする請求項１または請求項２記載の定量式液体計量器。
【請求項４】
容器本体は外部から内部を透視できる透明性を有することを特徴とする請求項１ないし請求項３記載の定量式液体計量器。
【請求項５】
容器本体はプラスチックからなることを特徴とする請求項１ないし請求項４記載の定量式液体計量器。
【請求項６】
容器本体の各室の底面は液体吐出口側へ向けて下向きの斜面であり、容器本体の四隅を保持する４つの支柱と、支柱間に横架される枠部と、容器本体の底面を支える斜行部材と、容器本体の前面を保持するストッパーと、支柱の下部のキャスターとを具備してなることを特徴とする請求項１ないし請求項５記載の定量式液体計量器。
【手続補正２】
【補正対象書類名】明細書
【補正対象項目名】全文
【補正方法】変更
【補正の内容】
【考案の詳細な説明】
【技術分野】
【０００１】
本考案は、特別な計量装置を用いることなく、一定量の液体を計量して別の容器に小分けすることのできる液体計量器に関する。
【背景技術】
【０００２】
ポンプを使用することなく、一定量を確実に計量して排出することができる液体容器が知られている（特許文献１）。これは、容器の内側底部に隔室を設け、隔室の側面に開口を設けた構造を有しており、容器に注入口から液体を注入し、液体が入った容器を隔室の開口が上側になるように容器をほぼ９０度回転させることで、隔室内に液体を満たし、この状態で栓を開けると隔室内の一定量の液体を排出するものである。
【０００３】
【特許文献１】特開平１１−１９８９７６号公報
【考案の開示】
【考案が解決しようとする課題】
【０００４】
しかしながら、上記の液体容器は、簡便で一定量の液体を計量して排出することができる利点を備えるものの、容器をほぼ９０度回転させる作業を必要とし、そのままでは液体が満たされた容器本体が大きく重い場合には、作業負担が大きくなるとともに、危険を伴いやすいという問題点がある。さらに、計量および排出の都度、液体の注入作業を中断せざるを得ず、計量から小分けまでの一連の作業を連続的に行うには難しいという問題点もある。
【０００５】
本考案は上記問題点に鑑みてなされたもので、簡便で一定量の液体を確実に計量することができ、容器が比較的大型であっても、小分けまでの作業を楽に行うことができる定量式液体計量器を提供することを目的とする。
【０００６】
また、計量から小分けまでの一連の作業を連続的に行うことができる定量式液体計量器を提供することを目的とする。
【課題を解決するための手段】
【０００７】
上記課題を解決するために、本考案の請求項１に係る定量式液体計量器は、容器本体の内側に設けた区画板により容器本体を第一室と第二室に区画し、区画板には第一室と第二室を互いに連通する連通口を設け、第一室と第二室にはそれぞれの上部に液体流入口を、それぞれの下部に液体吐出口を設け、各液体吐出口のそれぞれには開閉栓を設けてなることを特徴とする。
【０００８】
第一室にその上部の液体流入口から液体を流入させると、第一室内に液体が貯えられる。液体の水位が連通口のレベルに達すると、それ以上の液体は第一室から連通口を通して第二室に流入し、第二室に貯えられる。第一室の水位が連通口のレベルに達した時点で第一室内に貯えられる液体は一定量に達するから、液体流入を第二室へ切り替える等して第一室への液体流入を止めるとともに、第一室の下部の液体吐出口の開閉栓を開けて、一定量の液体を別容器に小分けすることができる。
【０００９】
第一室からの小分け作業と同時並行して、第二室にその上部の液体流入口から液体を流入させると、第二室内に液体が貯えられる。液体の水位が連通口のレベルに達すると、それ以上の液体は第二室から連通口を通して第一室に流入し、第一室に貯えられる。第二室の水位が連通口のレベルに達した時点で第二室内に貯えられる液体は一定量に達するから、液体流入を第一室へ切り替える等して第二室への液体流入を止めるとともに、第二室の下部の液体吐出口の開閉栓を開けて、一定量の液体を別容器に小分けすることができる。
【００１０】
この計量容器を使用することにより、簡便で一定量の液体を確実に計量することができ、容器が比較的大型であっても、小分けまでの作業を安全かつ楽に行うことができる。
【００１１】
計量される液体としては、水、ビール、ジュース、牛乳などの飲料水のほか、醤油、油なども含まれる。
【００１２】
本考案の請求項２に係る定量式液体計量器は、各室の各液体流入口の上流側には、流入する液体を各室の液体流入口のいずれか一つに切り替えできる手段を設けたことを特徴とする。
【００１３】
各室のいずれか一方が一定量に達したら、液体流入を他方の室に切り替えることで、液体流入作業を連続して行うことができ、その結果、液体流入から計量、小分けに至るまでの一連の作業を連続的に行うことができる
【００１４】
本考案の請求項３に係る定量式液体計量器は、容器本体の各室の内容積を互いに同一としたことを特徴とする。
【００１５】
各室の計量値を同一値（たとえば、第一室と第二室をともに１８リットルとする）とすることにより、同一容積の別容器への小分け作業を２倍または３倍以上に効率化することができる。
【００１６】
本考案の請求項４に係る定量式液体計量器は、容器本体が外部から内部を透視できる透明性を有することを特徴とする。ここでいう透明性には半透明も含まれる。
【００１７】
外部から第一室および第二室の水位および連通口を通しての流入状態を良く確認することができるので、液体流入の切り替え作業や小分け作業などの一連の作業を確実に行うことができる。
【００１８】
本考案の請求項５に係る定量式液体計量器は、容器本体がプラスチックからなることを特徴とする。
【００１９】
金属に比べて耐酸性、耐食性等に優れたプラスチックを使用することにより、液体が醤油などの場合であっても、計量容器として好適に使用することができる。
【００２０】
本考案の請求項６に係る定量式液体計量器は、容器本体の各室の底面が下部の液体吐出口側へ向けて下向きの斜面であり、容器本体の四隅を保持する４つの支柱と、支柱間に横架される枠部と、容器本体の底面を支える斜行部材と、容器本体の前面を保持するストッパーと、支柱の下部のキャスターとを具備してなることを特徴とする。
【００２１】
各室の液体を下部の液体吐出口から確実に吐出させることができる。
【００２２】
液体計量器が比較的大型であっても、安定して保持することができ、流入作業から計量、小分け作業に至る一連の各作業を安全かつ確実に行うことができる。
【考案の効果】
【００２３】
以上説明したように、本考案の定量式液体計量器によると、簡便で一定量の液体を確実に計量することができ、容器が比較的大型であっても、小分けまでの作業を楽に行うことができる効果を奏する。
【００２４】
また、本考案の定量式液体計量器によると、計量から小分けまでの一連の作業を連続的に行うことができる効果を奏する。
【考案を実施するための最良の形態】
【００２５】
本考案を実施するための最良の形態につき、図１ないし図４を参照して説明する。
本考案の定量式液体計量器１は、図１に示すように、容器本体２の内側に設けた区画板３により容器本体２を第一室４と第二室５に区画してなる。
【００２６】
容器本体２は、全体として、前面板２ａと背面板２ｂ、両側面板２ｃ，２ｃと底面板２ｄとからなる有底の四角形状の容器であって、容器本体の内部空間が前記区画板３により前方から見て左側に第一室４、右側に第二室５が形成されている。この容器本体２の底面は前面に向けて下りとなる斜面を形成している。第一室４および第二室５はいずれも、一定量の液体を計量する室となる。各室４、５の内容積は互いに同一とされている。
【００２７】
区画板３には第一室４と第二室５を互いに連通する連通口６が底面前端からの高さＨの位置に設けられている。この連通口６は、液面と水平に延びており、第一室４に貯えられる液体が一定量（たとえば１８リットル）に達すると、それ以上の液体は連通口６を通して第一室４から第二室５へ流入するようになっている。この連通口６の高さＨを変更することにより、第一室４および第二室における液体の計量値を変更することができる。
【００２８】
容器本体２の上面は第一室４および第二室５とも上方に開口しており、各開口部が液体流入口７、８を形成している。また、容器本体２の前面板２ａの下端には第一室４の液体吐出口９と第二室５の液体吐出口１０とが設けられ、各液体吐出口９、１０には、開閉栓１１が設けられている。
【００２９】
以上の液体計量器１は、図１に示す液体計量器スタンド１２の上に載置される。この液体計量器スタンド１２は、容器本体２の四隅を保持する４つの支柱１３と、支柱１３，１３間に横架される枠部１４と、容器本体２の底面板２ｄを支える斜行部材１５と、容器本体２の前面板２ａを保持するストッパー１６と、各支柱１３の下部のキャスター１７とから構成されている。
【００３０】
容器本体２の上方には、図４に示すように、各室４、５の液体流入口７、８にそれぞれ液体を導入するための開閉弁１８付きの吐出管１９が位置している。この吐出管１９は垂直軸回りの首振り機構２０を備えており、吐出管１９からの液体を各室４、５の液体流入口７、８のいずれか一つに切り替えできるようになっている。吐出管１９の後方には図示しない液体タンクが配置されており、液体計量器スタンド１２をキャスター１７で移動させて液体計量器１を吐出管１９の下に位置させることができるようになっている。
【００３１】
以上の容器本体２は透明性を有するプラスチック製からなる。
【００３２】
次ぎに、以上のように構成された定量式液体計量器１の使用方法を説明する。
【００３３】
図４に示すように、吐出管１９の開閉弁１８を開操作して、容器本体２の第一室４に液体流入口７から液体を流入させ、液体Ｗが一定量（たとえば１８リットル）に達すると、連通口６を通してそれ以上の液体が第一室４から第二室５へと流入する。吐出管１９の先端を第二室５の液体流入口８へと切り替えて、第二室５に液体を流入させる。その間、第一室４の液体吐出口９の開閉栓１１を開いてその先端に取付けられた可撓性を有するホース２１を介して別容器に液体（１８リットル）を小分けする。ホース２１には係止用フック２１ａが取付けられ、ホース２１を別容器に係止して外れないようになっている。
【００３４】
第一室４からの小分け作業中、第二室５には液体流入口８から液体が流入する。第一室４の小分け作業が終わったら、第一室４側の開閉栓１１を閉じる。第二室５の液体が一定量（たとえば１８リットル）に達すると、連通口６を通してそれ以上の液体が第二室５から第一室４へと流入する。吐出管１９の先端を第二室５の液体流入口８から第一室４の液体流入口７へ切り替えて、第一室４に液体を流入させる。その間、第二室５の液体吐出口１０の開閉栓１１を開いて別容器に液体（１８リットル）を小分けする。小分け作業が終わったら第二室５側の開閉栓１１を閉じる。
【００３５】
以上の作業を繰り返すことにより、必要量の小分け作業を連続して行うことができる。上記の実施形態では、第一室４と第二室の一定量をともに同一量（たとえば１８リットル）としたが、異なる量（たとえば一方を１８リットル、他方を２０リットル）とするために、第一室４と第二室５のいずれかの容積を変更するようにしてもよい。
【００３６】
また、上記実施形態の容器本体２は、元々別体の有底四角筒状の容器どうしを併設して、それぞれを第一室４と第二室５にしてよい。
【００３７】
また、上記実施形態の容器本体２は、第一室４と第二室５を設けるようにしたが、第二室の隣りに第三室を併設してもよい。この場合、第二室５と第三室との間の区画板に第二室５と第三室を互いに連通する連通口を設ければよい。第三室には液体流入口となる上方開口部を設け、前面には液体吐出口を設ける。第一室４と第二室５を同一の定量（たとえば１８リットル）とし、第三室を別の定量（たとえば２０リットル）とすることが考えられる。
【産業上の利用可能性】
【００３８】
本考案の定量式液体計量器は、飲料水やお酒などの小売店舗、醤油などの卸し店などのほか、一般家庭においても有効利用することができる。
【図面の簡単な説明】
【００３９】
【図１】本考案の定量式液体計量器を示す斜視図、
【図２】同定量式液体計量器を示す正面図、
【図３】同定量式液体計量器を示す側面図、
【図４】同定量式液体計量器の使用状態を示す斜視図である。
【符号の説明】
【００４０】
１  定量式液体計量器
２  容器本体
２ａ  前面板
２ｂ  背面板
２ｃ  側面板
２ｄ  底面板
３  区画板
４  第一室
５  第二室
６  連通口
７，８  液体流入口
９，１０  液体吐出口
１１  開閉栓
１２  液体計量器スタンド
１３  支柱
１４  枠部
１５  斜行部材
１６  ストッパー
１７  キャスター
１８  開閉栓
１９  吐出管
２０  首振り機構
２１  ホース
２１ａ  フック